(57)【要約】  【課題】  装置の大型化および構成の複雑化等を抑えつつ、光源から照射される光量の経時的変化に起因する読み取りデータの変化を抑制する。  【解決手段】  電源投入時に、照明ランプ７４にて照射された白基準板６６をＣＣＤイメージセンサ７８で読み取り、シェーディング補正データを取得する。また、照明ランプ７４にて照射された案内部材１９をＣＣＤイメージセンサ７８で読み取り、主走査方向１２箇所の読み取り結果を白変動基準値として記憶しておく。そして、原稿の画像を読み取る直前に、照明ランプ７４にて照射された案内部材１９をＣＣＤイメージセンサ７８で読み取り、主走査方向１２箇所の読み取り結果を白変動値として取得する。次いで、同一箇所の白変動基準値と白変動値との比が最も１に近いデータを用いて光量変動補正値を設定し、読み取られた画像データに対してシェーディング補正を施すと共に光量補正も施す。  【選択図】  図１
2006013852.tif 000002
【特許請求の範囲】
【請求項１】
原稿に光を照射する照射手段と、
前記照射手段によって照射される原稿からの反射光を読み取る読み取り手段と、
前記照射手段によって照射される所定の対向部材からの反射光を前記読み取り手段で読み取り、主走査方向読み取り領域の複数箇所の各々の光量基準値を取得する基準値取得手段と、
前記光量基準値が取得された後に、前記照射手段によって照射される前記対向部材からの反射光を前記読み取り手段で読み取り、前記複数箇所の各々の光量変動値を取得する変動値取得手段と、
前記基準値取得手段により取得された前記各々の光量基準値と前記変動値取得手段により取得された前記各々の光量変動値とを用いて、前記読み取り手段にて原稿を読み取って得られた画像データに対する補正シフト量を決定する決定手段と
を含む画像読み取り装置。
【請求項２】
原稿を搬送する搬送手段をさらに備え、
前記読み取り手段は、所定の位置に固定された状態で原稿および前記対向部材を読み取ることを特徴とする請求項１記載の画像読み取り装置。
【請求項３】
前記基準値取得手段は、前記複数箇所の一箇所毎に複数の画素のデータを平均化して前記光量基準値を取得し、
前記変動値取得手段は、前記複数箇所の一箇所毎に複数の画素のデータを平均化して前記光量変動値を取得すること
を特徴とする請求項１記載の画像読み取り装置。
【請求項４】
前記決定手段は、前記複数箇所のうち同一箇所より取得された光量基準値および光量変動値の比をそれぞれ算出し、算出された比が１に最も近いものに基づいて前記補正シフト量を決定することを特徴とする請求項１記載の画像読み取り装置。
【請求項５】
原稿を照射する光源と、
原稿を読み取る第１の位置で原稿から反射する反射光を受光するセンサと、
前記第１の位置で前記センサにて読み取られる対向部材と、
前記第１の位置とは異なる第２の位置で前記センサにて読み取られる基準部材と、
前記光源により照射される前記基準部材を前記センサで読み取って得られた主走査方向読み取り領域全域に対するシェーディング補正データを格納するシェーディングメモリと、
前記光源により照射される前記対向部材を前記センサで読み取って得られた前記主走査方向読み取り領域の複数箇所の各々の光量基準値を格納する基準値メモリと、
前記光量基準値が取得された後に前記光源により照射される前記対向部材を前記センサで読み取り、前記複数箇所の各々の光量変動値を取得する変動値取得部と、
前記基準値メモリから読み出された前記各々の光量基準値と前記変動値取得部により取得された前記各々の光量変動値に基づいて、前記光源の経時的な光量変動に対応する変動補正データを作成する変動補正データ作成部と、
前記光源により照射される原稿を前記センサで読み取って得られた画像データに対し、前記シェーディングメモリから読み出されたシェーディングデータを用いてシェーディング補正を施すと共に、前記変動補正データ作成部にて作成された前記変動補正データを用いて変動補正を施す補正部と
を含む画像読み取り装置。
【請求項６】
前記変動補正データ作成部は、前記複数箇所のうち同一箇所より取得された光量基準値および光量変動値の変動が最も少ないものを用いて前記変動補正データを作成することを特徴とする請求項５記載の画像読み取り装置。
【請求項７】
前記光源は、主走査方向に延びる線光源からなることを特徴とする請求項５記載の画像読み取り装置。
【請求項８】
前記対向部材および前記基準部材は、共に白色であることを特徴とする請求項５記載の画像読み取り装置。
【発明の詳細な説明】
【技術分野】
【０００１】
本発明は、原稿に形成された画像を読み取る画像読み取り装置に係り、より詳しくは、原稿に光を照射する光源の経時的な光量変動に対応して読み取りデータに補正を施す画像読み取り装置に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置では、原稿の主走査方向に沿って延設される光源を用いて原稿に光を照射し、照射された原稿から反射した反射光をイメージセンサにて受光することで、原稿上の画像を読み取っている。
【０００３】
上述した画像読み取り装置では、原稿の主走査方向位置によって光源から照射される光量にばらつきがあったり、また、経時的に光源の光量が変動したりするといった事態が生じ得る。このような光量の変動が生じると、例えばハーフトーンの画像が一様に形成された原稿を読み取った場合に、出力値(出力される画像信号)が、光源の光量に応じたばらつきを有する不均一なものとなってしまう。また、イメージセンサは例えば主走査方向に配列された複数の受光素子によって構成されるが、各受光素子の感度特性が同一にはならないため、ここでも出力値のばらつきが生じてしまうことになる。
そこで、原稿の主走査方向に延びる白色の部材(白基準部材)を配置すると共に、この白基準部材に対して光源から光を照射し、白基準部材から反射した反射光をイメージセンサにて受光し、主走査方向の照度分布および各受光素子の感度特性のばらつきに対応する補正用データ(シェーディング補正データ)を予め取得しておく手法が広く用いられている。そして、実際に原稿読み取りを行う際には、原稿を読み取って得られた画像信号を、シェーディング補正データを用いて補正(シェーディング補正)することで、光源の光量分布やイメージセンサを構成する各受光素子の感度特性に起因するむらを除去している。
【０００４】
ところで、上述した画像読み取り装置では、光源として例えばキセノンランプ等が使用されている。ここで、キセノンランプは、点灯開始からの時間経過に伴って、照射光量が漸次低下していくことが知られている。このため、シェーディング補正データは、画像読み取りを行う毎に取得することが望ましい。但し、読み取り部を固定しつつ原稿を移動させながら原稿の画像を読み取る所謂ＣＶＴ(Constant Velocity Transport)方式(原稿流し読み取り方式)の画像読み取り装置では、一旦、白基準部材との対向位置まで読み取り部を移動させてシェーディング補正データを取得した後、再度原稿の読み取り位置まで読み取り部を移動させるといったプロセスを採用しなけばならなくなるため、読み取りの生産効率が著しく低下してしまう。
【０００５】
そこで、原稿の読み取り位置における画像読み取り領域の外側に、白基準部材とは別の濃度基準部材を設ける技術が提案されている(例えば特許文献１,２参照。)。この技術では、例えば電源投入時などに白基準部材を読み取ってシェーディングデータを取得しておき、その後は、原稿流し読み取り位置において原稿を読み取ると共に濃度基準部材を読み取り、この濃度基準部材の読み取り結果と過去の濃度基準部材の読み取り結果との比較に基づいて光量低下の度合い(補正係数)を求め、シェーディング補正データによる補正結果にさらに補正を施している。
また、原稿流し読み取り位置において読み取り部に対向配置される背景部材を原稿間で読み取り、この背景部材の読み取り結果と過去の背景部材の読み取り結果との比較に基づいて光量低下の度合い(補正係数)を求め、規定量を越える光量低下があった場合に、シェーディング補正データを取り直す技術も提案されている(特許文献３参照。)。
【０００６】
【特許文献１】特開平８−２２３４１５号公報(第４−５頁、図２〜図４)
【特許文献２】特開２００１−２４５１０９号公報(第４−５頁、図２)
【特許文献３】特開２００２−３００３９４号公報(第５−６頁、図４)
【発明の開示】
【発明が解決しようとする課題】
【０００７】
しかしながら、上記特許文献１,２のように、画像読み取り領域の外側に設けた濃度基準部材を読み取って光源の光量変動を検出する場合には、この濃度基準部材に対しても適切に光源からの光が照射されるように、主走査方向に長い光源を使用する必要があった。すると、光源の長尺化に伴って装置の大型化を招いてしまうことになる。また、濃度基準部材を設けたり、主走査方向に長い光源使用したりしなければならない分、かかるコストも嵩んでしまう。
【０００８】
一方、上記特許文献３のように、画像読み取り領域内で背景部材を読み取ることによって光源の光量変動を検出する場合には、上述したような装置の大型化といった問題は生じない。ただし、搬送される原稿が背景部材に接触し得ることから、例えばトナーやボールペンのインクなど原稿の汚れやごみが背景部材に付着しやすくなる。そして、背景部材に汚れやごみが付着した場合には、この背景部材を読み取って得られた補正係数が、光量変動以外に汚れ付着による影響を大きく受けたものとなるために、的確な補正を施せなくなってしまう。
【０００９】
本発明は、かかる技術的課題を解決するためになされたものであって、その目的とするところは、装置の大型化および構成の複雑化等を抑えつつ、光源から照射される光量の経時的変化に起因する読み取りデータの変化を抑制することにある。
【課題を解決するための手段】
【００１０】
かかる目的のもと、本発明が適用される画像読み取り装置は、原稿に光を照射手段で照射し、照射手段によって照射される原稿からの反射光を読み取り手段で読み取り、照射手段によって照射される所定の対向部材からの反射光を読み取り手段で読み取り、主走査方向読み取り領域の複数箇所の各々の光量基準値を基準値取得手段で取得し、光量基準値が取得された後に、照射手段によって照射される対向部材からの反射光を読み取り手段で読み取り、複数箇所の各々の光量変動値を変動値取得手段で取得し、基準値取得手段により取得された各々の光量基準値と変動値取得手段により取得された各々の光量変動値とを用いて、読み取り手段にて原稿を読み取って得られた画像データに対する補正シフト量を決定手段で決定する。なお、「基準値取得手段により取得された各々の光量基準値と変動値取得手段により取得された各々の光量変動値とを用いて」とは、対向部材の同一箇所を読み取って得られた一組の光量基準値および光量変動値または複数組の光量基準値および光量変動値を用いて、という趣旨である。
【００１１】
ここで、原稿を搬送手段で搬送し、読み取り手段は、所定の位置に固定された状態で原稿および対向部材を読み取ることを特徴とすることができる。また、基準値取得手段は、複数箇所の一箇所毎に複数の画素のデータを平均化して光量基準値を取得し、変動値取得手段は、複数箇所の一箇所毎に複数の画素のデータを平均化して光量変動値を取得することを特徴とすることができる。さらに、決定手段は、複数箇所のうち同一箇所より取得された光量基準値および光量変動値の比をそれぞれ算出し、算出された比が１に最も近いものを補正係数として決定することを特徴とすることができる。
【００１２】
また、他の観点から捉えると、本発明が適用される画像読み取り装置は、原稿を照射する光源と、原稿を読み取る第１の位置で原稿から反射する反射光を受光するセンサと、第１の位置でセンサにて読み取られる対向部材と、第１の位置とは異なる第２の位置でセンサにて読み取られる基準部材と、光源により照射される基準部材をセンサで読み取って得られた主走査方向読み取り領域全域に対するシェーディング補正データを格納するシェーディングメモリと、光源により照射される対向部材をセンサで読み取って得られた主走査方向読み取り領域の複数箇所の各々の光量基準値を格納する基準値メモリと、光量基準値が取得された後に光源により照射される対向部材をセンサで読み取り、複数箇所の各々の光量変動値を取得する変動値取得部と、基準値メモリから読み出された各々の光量基準値と変動値取得部により取得された各々の光量変動値に基づいて、光源の経時的な光量変動に対応する変動補正データを作成する変動補正データ作成部と、光源により照射される原稿をセンサで読み取って得られた画像データに対し、シェーディングメモリから読み出されたシェーディングデータを用いてシェーディング補正を施すと共に、変動補正データ作成部にて作成された変動補正データを用いて変動補正を施す補正部とを含んでいる。
【００１３】
ここで、変動補正データ作成部は、複数箇所のうち同一箇所より取得された光量基準値および光量変動値の変動が最も少ないものを用いて変動補正データを作成することを特徴とすることができる。また、光源は、主走査方向に延びる線光源からなることを特徴とすることができる。さらに、対向部材および基準部材は、共に白色であることを特徴とすることができる。
【発明の効果】
【００１４】
本発明によれば、装置の大型化および構成の複雑化等を抑えつつ、光源から照射される光量の経時的変化に起因する読み取りデータの変化を抑制することができる。
【発明を実施するための最良の形態】
【００１５】
以下、添付図面を参照して、本発明を実施するための最良の形態(以下、実施の形態という)について詳細に説明する。
図１は本実施の形態が適用される画像読み取り装置を示した図である。この画像読み取り装置は、大きく、積載された原稿束から原稿を順次、搬送する原稿送り装置１０、スキャンによって画像を読み込むスキャナ装置７０、および、読み込まれた画像信号を処理する処理装置８０に大別される。
【００１６】
搬送手段としての原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚ずつ捌くリタードロール１５を備えている。最初に原稿が搬送される第１搬送路３１には、一枚ずつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストする対向部材としての案内部材１９、読み込まれた原稿を更に下流に搬送するアウトロール２０を備えている。また、搬送路としての第１搬送路３１には、搬送される原稿のループ状態に応じて支点を中心として回動するバッフル４１を備えている。更に、案内部材１９とアウトロール２０との間には、ＣＩＳ(Contact Image Sensor)５０を備えている。
【００１７】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１８】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、案内部材１９によって、第２プラテンガラス７２Ｂ(後述)に押圧されて、下面方向から画像データが読み込まれる。
【００１９】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００２０】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、第１の筐体を形成する装置フレーム７１に、画像を読み込むべき原稿を静止させた状態で載置する第１プラテンガラス(プラテンガラス)７２Ａ、原稿送り装置１０によって搬送中の原稿を読み取るための光の開口部を形成する第２プラテンガラス７２Ｂが設けられている。なお、本実施の形態では、スキャナ装置７０に対して原稿送り装置１０が奥側を支点に揺動自在に取り付けられており、第１プラテンガラス７２Ａ上に原稿をセットする際には、原稿送り装置１０を持ち上げて原稿を載置し、その後、原稿送り装置１０をスキャナ装置７０側に降ろして押し付けるようになっている。
【００２１】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照射手段あるいは光源としての照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換する読み取り手段あるいはセンサとしてのＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００２２】
ここで、まず、第１プラテンガラス７２Ａに載置された原稿の画像を読み取る原稿固定読み取りモードの場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は複数の受光素子が並べられた１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２３】
一方、第２プラテンガラス７２Ｂは、例えば長尺の板状構造をなす透明なガラスプレートで構成される。原稿送り装置１０によって搬送される原稿の画像を読み取る原稿流し読み取りモードの場合には、搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０の案内部材１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２４】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味) にＣＩＳ５０によって、原稿の第２面の読み取りを行うことが可能である。即ち、ＣＣＤイメージセンサ７８とＣＩＳ５０とを用いて、搬送路への原稿の一度の搬送で、この原稿における表裏両面の画像を読み取ることを可能としている。
【００２５】
図２は、ＣＩＳ５０を用いた読み取り構造を説明するための図である。図２に示すように、ＣＩＳ５０は、案内部材１９とアウトロール２０との間に設けられる。原稿の片面(第１面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面)の画像が読み込まれる。このＣＩＳ５０は、ハウジング５０ａと、このハウジング５０ａの搬送路側に形成された開口に装着されるガラス５１と、このガラス５１を透過して原稿の第２面に光を照射するＬＥＤ(Light Emitting Diode)アレイ５２と、ＬＥＤアレイ５２からの反射光を集光するセルフォックレンズ(登録商標)５３と、このセルフォックレンズ５３により集光された光を読み取るラインセンサ５４を備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。尚、カラー画像を読み込む場合には、ＬＥＤアレイ５２にＲ(赤)Ｇ(緑)Ｂ(青)の３色のＬＥＤ光源を組み合わせるかあるいは白色のＬＥＤ光源を用い、ラインセンサ５４としてＲＧＢ３色用の３列一組のセンサを用いれば良い。
【００２６】
また、ＣＩＳ５０による画像読み取りに際して、この読み取り部を構成する搬送路に、ＣＩＳ５０のハウジング５０ａに対して原稿の搬送方向上流側に突出する突出部５０ｂから原稿の搬送方向下流側に向かって延びる制御部材５５、搬送される原稿が突き当てられる対向部材としての突き当て部材６０を備えている。ここで、制御部材５５はＣＩＳ５０を介して原稿送り装置１０(図１参照)に取り付けられているが、突き当て部材６０はスキャナ装置７０(図１参照)に取り付けられている。また、この突き当て部材６０の下流側にはガイド６１が設けられ、このガイド６１と突き当て部材６０との間には開口部６３を構成し、更に、ガイド６１の下部であって開口部６３に連続する箇所には、原稿の表面に付着してきたごみや汚れを溜めるごみ溜め部６２が設けられている。制御部材５５および突き当て部材６０は、原稿の搬送路に直交する方向に(即ち、原稿送り装置１０の前面から後面の方向に)、原稿送り装置１０の前面から後面まで、搬送路の位置に対応して設けられている。
【００２７】
ここで、制御部材５５は、上述した突出部５０ｂに取り付けられたねじからなる回転軸５５１と、この回転軸５５１に対して一端が巻き回されることにより揺動可能に支持されると共に、他端である自由端が突き当て部材６０に向かって延びる板状の案内部材としてのガイド部材５５２と、回転軸５５１に対して巻き回され、一方のアームの端部が突出部５０ｂに形成された穿孔５０ｃに挿入され、もう一方のアームの端部がガイド部材５５２を突き当て部材６０方向に向けて付勢するように配置されるねじりバネ５５３とを有している。ここで、突出部５０ｂは原稿の搬送路に直交する方向の両端部に二箇所設けられており、回転軸５５１およびねじりバネ５５３もこれに対応して両端部に二箇所に設けられている。一方、ガイド部材５５２は、原稿の搬送路に直交する方向の前面から後面まで設けられている。
【００２８】
本実施の形態において、ガイド部材５５２は、例えばＳＵＳ等の金属製の板金(金属板)で構成される。また、ガイド部材５５２の自由端側はＣＩＳ５０による読み取り位置の近傍、具体的には、読み取り位置より原稿の搬送方向上流側３ｍｍの位置まで延びている。さらに、ガイド部材５５２の自由端側つまり原稿と接触する部位には、ヘミング曲げされた折り部５５２ａが設けられており、この折り部５５２ａを設けることにより、搬送されてくる原稿と接触する際における紙粉等の発生を防止できるようになっている。そして、ガイド部材５５２を金属製の板金で構成すると共にねじりバネ５５３によって撓み自在とすることで、搬送されてくる原稿の厚み分を吸収できると共に、折り曲げ跡のついた原稿であっても安定して搬送できるようになっている。
【００２９】
一方、突き当て部材６０は、原稿の搬送方向上流側に設けられ、搬送される原稿を案内する原稿搬送面６０ａと、原稿搬送面６０ａよりも原稿の搬送方向下流側に原稿搬送面６０ａよりも一段下げて形成される段差面６０ｂとを有している。また、この段差面６０ｂは、セルフォックレンズ５３による光のフォーカスポイントの延長線と対向するように形成されており、段差面６０ｂ上には、二次区延伸ポリエステルフィルムからなる白基準テープ６４が貼り付けられている。したがって、白基準テープ６４は、突き当て部材６０を介してスキャナ装置７０に取り付けられていることになる。本実施の形態では、白基準テープ６４の上面が搬送路に露出した状態で配置されており、白基準テープ６４の上面は、原稿搬送面６０ａの上面よりもわずかに奥側(搬送路から離れる側)に位置している。また、突き当て部材６０の搬送路側(上部)であって白基準テープ６４に対して原稿の搬送方向に直交する方向の両端部には、図中破線で示すように、原稿搬送方向に向かって延びる間隙形成手段としてのリブ６５が形成されている。このリブ６５は、突き当て部材６０と共に樹脂により一体的に形成されており、リブ６５の高さは搬送されてくる原稿の厚さを勘案して、０.１〜１.０ｍｍの範囲より適宜設定される。なお、リブ６５の高さは使用される頻度が高い原稿の厚さよりもわずかに大きいことが好ましい。そして、このリブ６５に対してねじりバネ５５３により付勢されたガイド部材５５２が当接することにより、ガイド部材５５２と突き当て部材６０の原稿搬送面６０ａとの間に、原稿が搬送される前の状態で、リブ６５の高さに応じた０.１〜１.０ｍｍの隙間が形成されることになる。
また、突き当て部材６０の下側であって、第１プラテンガラス７２Ａの上部側には、この第１プラテンガラス７２Ａに密着するように取り付けられる基準部材としての白基準板６６が設けられている。
【００３０】
ここで、ＣＩＳ５０は、光学結像レンズにセルフォックレンズ５３を採用していることから、焦点(被写界)震度が±０.３ｍｍ程度と浅く、スキャナ装置７０を用いた場合に比べて約１/１３以下の深度となっている。ＣＩＳ５０による読み取りに際しては、原稿の読み取り位置を所定の狭い範囲内に収めることが要求される。そこで、本実施の形態では、制御部材５５を設け、原稿を制御部材５５によって突き当て部材６０に押し当てて搬送し、案内部材１９とアウトロール２０との間にある原稿の姿勢を安定的に制御できるように構成した。図２に示す一点鎖線矢印は、制御部材５５を設けた場合の原稿の動きを示したものである。搬送される原稿が突き当て部材６０に押し当てられながら搬送されることが理解される。すなわち、制御部材５５によって、搬送される原稿を突き当て部材６０に押し当てた状態で読み取ることで、被写界深度の浅いＣＩＳ５０を用いた場合におけるピントの甘さを改善している。
【００３１】
図３は、本実施の形態に係る画像読み取り装置を上から見た図であって、第１プラテンガラス７２Ａ、第２プラテンガラス７２Ｂ、白基準板６６および案内部材１９と、フルレートキャリッジ７３(図１参照)による読み取り位置との関係を説明するための図である。
本実施の形態では、例えば電源投入時等にフルレートキャリッジ７３を白基準板６６の直下である白基準読み取り位置Ａ(第２の位置)に移動させ、ＣＣＤイメージセンサ７８(図１参照)によりこの白基準板６６を読み取り、その結果を後述するシェーディングメモリ８４(図４参照)にシェーディング補正データとして格納する。また、第１プラテンガラス７２Ａ上に載置された原稿の画像を読み取る固定読み取りモードにおいては、フルレートキャリッジ７３を第１プラテンガラス７２Ａの下側であって白基準読み取り位置Ａ近傍の固定読み取り開始位置Ｂにセットし、その後固定読み取り終了位置Ｃ側に向けてフルレートキャリッジ７３を移動させながらＣＣＤイメージセンサ７８により第１プラテンガラス７２Ａ上の原稿の画像を読み取る。なお、固定読み取り開始位置Ｂは原稿のサイズによらず常時同位置であるが、固定読み取り終了位置Ｃは読み取る原稿のサイズによって異なる。さらに、原稿送り装置１０(図１参照)によって搬送される原稿の画像を読み取る流し読み取りモードにおいては、フルレートキャリッジ７３を第２プラテンガラス７２Ｂおよび案内部材１９の直下である流し読み取り位置Ｄ(第１の位置)に移動させ、フルレートキャリッジ７３をこの流し読み取り位置Ｄに固定した状態で、ＣＣＤイメージセンサ７８により第２プラテンガラス７２Ｂ上を搬送される原稿の画像を読み取る。また、本実施の形態では、後述するように、原稿間において、ＣＣＤイメージセンサ７８により案内部材１９を読み取る。
【００３２】
ここで、図３には、参考のため、照明ランプ７４の主走査方向長さも例示している。本実施の形態では、照明ランプ７４の主走査方向長さが、読み取り可能な最大サイズの原稿における主走査方向長さ(最大原稿幅)よりもわずかに長く設定されている。これは、最大サイズの原稿における主走査方向両端部に対する照射光量を確保するためのものである。特に、本実施の形態では、ＣＣＤイメージセンサ７８が、最大原稿幅よりも外側の領域(画像読み取り領域の外側)の画像を読み取る必要がないことから、照明ランプ７４の主走査方向長さを最大原稿幅に対してわずかに長くするだけでよい。
【００３３】
次に、図１に示す処理装置８０について説明する。
図４は、処理装置８０を説明するためのブロック図である。但し、図４には、ＣＣＤイメージセンサ７８にて読み取られた画像データを処理するブロックのみを示しており、ＣＩＳ５０にて読み取られた画像データを処理するブロックについてはその記載を省略している。
処理装置８０は、ＣＣＤイメージセンサ７８にて読み取られたアナログの画像信号の処理を行うアナログ補正部８１と、アナログ信号をディジタル信号に変換するＡ/Ｄ変換部８２と、シェーディング補正データを作成すると共にこのシェーディングデータを用いて画像データにシェーディング補正等を施す補正部としてのシェーディング補正部８３と、シェーディング補正部８３にて作成されたシェーディング補正データを格納するシェーディングメモリ８４と、シェーディング補正後の画像データに画像処理を施す画像処理部８５とを有している。この画像処理部８５は、シェーディング補正後の画像データに、フィルタリングや縮小/拡大等の画像処理を施してＰＣや画像形成装置(共に図示せず)に出力する。
【００３４】
また、処理装置８０は、ＣＣＤイメージセンサ７８により案内部材１９を読み取って得られた背景画像データに処理を施す変動値取得部および変動補正データ作成部としての背景画像処理部(基準値取得手段、変動値取得手段、決定手段)８６と、背景画像処理部８６において作成された白変動基準値(後述)を格納する基準値メモリとしての基準値格納メモリ８７とを備えている。さらに、処理装置８０は、ＣＣＤイメージセンサ７８を制御するＣＣＤ駆動部８８、原稿を搬送するために使用されるモータやフルレートキャリッジ７３やハーフレートキャリッジ７５を移動させるモータを制御するモータ制御部８９、照明ランプ７４の点灯を制御するランプ制御部９０を有している。
そして、上述したシェーディング補正部８３、背景画像処理部８６、ＣＣＤ駆動部８８、モータ制御部８９、ランプ制御部９０は、ＣＰＵ９１によって制御されている。そして、このＣＰＵ９１には、第１搬送路３１に設けられたレジセンサ３７からの原稿検知信号が入力されるようになっている。
【００３５】
図５は、図４に示す処理装置８０によって実行される処理の一例を示したフローチャートである。なお、ここでは、原稿送り装置１０によって搬送されてくる原稿の片面画像を、固定されたＣＣＤイメージセンサ７８によって読み取る流し読み取りの場合について説明する。
この処理では、まず、例えば画像読み取り装置の電源が投入される毎に、モータ制御部８９によってフルレートキャリッジ７３を白基準読み取り位置Ａ(図３参照)に移動させる。次に、照明ランプ７４によって照射された白基準板６６をＣＣＤイメージセンサ７８にて複数回読み取って平均化を行うことにより、シェーディング補正を施すための基準となるシェーディング補正データＶrefを採取する(ステップ１１)。そして、得られたシェーディング補正データＶrefをシェーディングメモリ８４に格納する。
次いで、モータ制御部８９によってフルレートキャリッジ７３を流し読み取り位置Ｄに移動させる。次に、照明ランプ７４によって照射された案内部材１９をＣＣＤイメージセンサ７８にて読み取ることにより、照明ランプ７４による照射光量の経時的変化を求めるための基準となる白変動基準値Ｓを採取する(ステップ１２)。そして、得られた白変動基準値Ｓを基準値格納メモリ８７に格納する。
次に、初期段階における照明ランプ７４の光量変動補正値ａを１に設定する(ステップ１３)。
【００３６】
そして、フルレートキャリッジ７３を流し読み取り位置Ｄに固定した状態で、原稿送り装置１０によって原稿を搬送し、搬送される原稿上に形成された画像をＣＣＤイメージセンサ７８によって読み取る。読み取りによって得られた画像データは、所定の処理が施された後にシェーディング補正部８３へと送られ、シェーディング補正部８３においてシェーディング補正が施され(ステップ１４)、出力される。ここで、本実施の形態では、画像データの入力値をＶin、補正後の出力値をＶoutとすると、
Ｖout＝(Ｖin×２５５)/(Ｖref×ａ)
となる補正式を用いて補正が施される。なお、上記式において、「２５５」とは、画像データを８ビット(２５６階調)に変換するための係数である。
【００３７】
そして、画像読み取りを終了するか否か、すなわち、次に送られてくる原稿が存在するか否か(レジセンサ３７により次の原稿が検知されているか否か)を判断し(ステップ１５)、次の原稿が存在しない場合は処理を終了する。一方、次の原稿が存在する場合は、前の原稿の後端が流し読み取り位置Ｄを通過してから次の原稿の先端が流し読み取り位置Ｄに到達するまでの間、すなわち、原稿間において、照明ランプ７４によって照射された案内部材１９をＣＣＤイメージセンサ７８にて読み取ることにより、照明ランプ７４による照射光量の経時的変化を求めるための白変動値Ｘを採取する(ステップ１６)。そして、背景画像処理部８６において、白変動基準値Ｓと白変動値Ｘとを比較して、新たな光量変動補正値ａを求め(ステップ１７)、ステップ１４へと戻る。
【００３８】
次に、上述したプロセスにおいて光量変動補正値ａを決定するために用いられる白変動基準値Ｓおよび白変動値Ｘについて詳細に説明する。
図６は、案内部材１９と、この案内部材１９を読み取って得られる白変動基準値Ｓおよび白変動値Ｘの関係とを示す図である。本実施の形態では、上述したステップ１２において白変動基準値Ｓを採取する場合、ＣＣＤイメージセンサ７８により案内部材１９の読み取り領域に対応する主走査方向読み取り領域全域を読み取って得られた白変動基準データＳ0のうち、主走査方向に等間隔に１２箇所のデータを選択的に採取し、光量基準値としての白変動基準値Ｓ1〜Ｓ12としている。なお、１箇所あたりのデータ量はそれぞれ１００画素分であり、これら１００画素分のデータを平均化することにより、各箇所における白変動基準値Ｓ1〜Ｓ12を作成している。ここで、白変動基準値Ｓ1〜Ｓ12は、案内部材１９上の１２箇所の領域Ａ1〜Ａ12を読み取って得られたものとなる。
【００３９】
また、上述したステップ１６において白変動値Ｘを採取する場合、ＣＣＤイメージセンサ７８により案内部材１９の読み取り領域に対応する主走査方向読み取り領域全域を読み取って得られた白変動データＸ0のうち、上述した白変動基準値Ｓ1と同様に案内部材１９の各領域Ａ1〜Ａ12に対応する１２箇所のデータを選択的に取得し、光量変動値としての白変動値Ｘ1〜Ｘ12としている。したがって、１箇所あたりのデータ量は同様にそれぞれ１００画素分であり、これら１００画素分のデータを平均化することにより、各箇所における白変動値Ｘ1〜Ｘ12を作成している。なお、図６には、電源投入から所定時間が経過した後に取得された白変動データＸ0の他、さらに時間が経過した後に取得された白変動データＸ0’も例示している。
【００４０】
ここで、図７は、上述したステップ１７すなわち補正シフト量としての光量変動補正値ａの取得における処理の流れを示すフローチャートである。
この処理では、まず、案内部材１９の同一位置を読み取って得られた白変動基準値Ｓn(ｎ＝１〜１２)と白変動値Ｘn(ｎ＝１〜１２)との比であるＥn(ｎ＝１〜１２)を求める(ステップ２１)。次に得られたＥn(ｎ＝１〜１２)のうち、最も１に近いＥnに対応する白変動基準値Ｓnおよび白変動値Ｘnを選択する(ステップ２２)。そして、選択された白変動基準値Ｓnおよび白変動値Ｘnの比すなわちＥnを新たな光量変動補正値ａに設定して(ステップ２３)、処理を終了する。
【００４１】
では、具体的な例を挙げながら、上述した光量変動補正値ａの設定について説明を行う。図８は、電源投入時に案内部材１９における領域Ａ1〜Ａ12を読み取って得られた白変動基準値Ｓn(ｎ＝１〜１２)、電源投入から所定の時間が経過した後に案内部材１９における領域Ａ1〜Ａ12を読み取って得られた第１の白変動値Ｘn(ｎ＝１〜１２)、白変動基準値Ｓnと第１の白変動値Ｘnとの比Ｅn(Ｘn/Ｓn)、さらに所定の時間が経過した後に案内部材１９における領域Ａ1〜Ａ12を読み取って得られた第２の白変動値Ｘn’(ｎ＝１〜１２’)、白変動基準値Ｓnと第２の白変動値Ｘn’との比Ｅn’(Ｘn’/Ｓn)、を示している。ここで、Ｓn,Ｘnは、最大値が２５５(８ビット)であるが、実際には、照明ランプ７４の経時的な光量変化に伴ってその値が低下している。また、照明ランプ７４の照度特性により、主走査方向中央部に対して主走査方向両端部の光量が低くなっている。
【００４２】
本実施の形態に係る画像読み取り装置では、案内部材１９が原稿の搬送路に露出した状態で配置されているため、原稿の汚れやごみが案内部材１９に転移付着するおそれがある。そして、案内部材１９に汚れやごみが付着すると、例えば白変動データＸ0’の領域Ａ8近傍に示すように、その部位における光量が見かけ上大幅に低下してしまうことになる。このように、照明ランプ７４の光量低下に起因しない原因により発生した見かけ上の光量低下に基づいて補正を施した場合には、誤った補正が施された画像データを出力することになってしまう。
【００４３】
そこで、本実施の形態では、上述したステップ２２で説明したように、案内部材１９の複数箇所(本実施の形態では１２箇所)で白変動基準値Ｓnおよび白変動値Ｘnを採取し、両者の比Ｄnが最も１に近くなる白変動基準値Ｓnおよび白変動値Ｘnを用いて、光量変動補正値ａを設定するようにした。つまり、案内部材１９がより白に近い部位(変動量の少ない部位)における案内部材１９の読み取り結果を用いて、照明ランプ７４の光量変動分を補正するようにした。これを具体的に説明すると、例えば第１の白変動値Ｘnの場合には、領域Ａ8における白変動基準値Ｓ8＝１９０と白変動値Ｘ8＝１８５とによって、光量変動補正値ａがＥn＝１８５/１９０≒０.９７３に設定されることになる。また、第２の白変動値Ｘn’の場合には、領域Ａ7における白変動基準値Ｓ7＝１９９と白変動値Ｘ7’＝１８３とによって、光量変動補正値ａがＥn’＝１８３/１９９≒０.９２０に設定されることになる。
【００４４】
本実施の形態では、ＣＣＤイメージセンサ７８によって案内部材１９の複数箇所を読み取り、これらのうち光量変動量が最も少なかった箇所における光量変動量のデータを用いて光量変動補正値ａを設定するようにした。つまり、案内部材１９に汚れやごみ等が付着することによる見かけ上の光量低下を除外した状態で光量変動補正値ａを設定するようにした。これにより、ＣＣＤイメージセンサ７８によって読み取られた画像のデータにシェーディング補正を施す際、照明ランプ７４の経時的な光量変化に伴う補正を的確に行うことができる。その結果、シェーディング補正後に出力される画像データの画質を、照明ランプ７４の点灯からの経過時間とは無関係に略一定とすることができる。
【００４５】
また、本実施の形態では、画像読み取り領域内において案内部材１９を読み取るようにしたので、従来の画像読み取り装置のように、画像読み取り領域の外側に専用の濃度基準部材を設ける必要がなくなり、装置構成を簡易化することができる。そして、画像読み取り領域外を読み取る必要がないことから、照明ランプ７４の主走査方向長さを最大原稿幅に対してわずかに長くすればよいこととなり、照明ランプ７４を短くできると共に画像読み取り装置の主走査方向長さもコンパクトにすることができる。
【００４６】
なお、本実施の形態では、比Ｅnが最も１に近くなる白変動基準値Ｓnおよび白変動値Ｘnを用いて、光量変動補正値ａを設定していたが、これに限られるものではなく、例えば白変動基準値Ｓnおよび白変動値Ｘnの差が最も小さくなるものを選択して、光量変動補正値ａを設定するようにしてもよい。
【図面の簡単な説明】
【００４７】
【図１】本実施の形態が適用される画像読み取り装置を示した図である。
【図２】ＣＩＳおよびＣＩＳ近傍の構造を説明するための図である。
【図３】白基準板の設置位置、固定読み取り位置および流し読み取り位置を説明するための図である。
【図４】処理装置を説明するためのブロック図である。
【図５】本実施の形態におけるシェーディング補正動作を説明するためのフローチャートである。
【図６】案内部材を読み取って得られる白変動基準値および白変動値を説明するための図である。
【図７】光量変動補正値を取得するための処理の流れを説明するためのフローチャートである。
【図８】白変動基準値および白変動値の一例を説明するための図表である。
【符号の説明】
【００４８】
１０…原稿送り装置、１１…原稿トレイ、１４…フィードロール、１５…リタードロール、１６…テイクアウェイロール、１７…プレレジロール、１８…レジロール、１９…案内部材、２０…アウトロール、５０…ＣＩＳ、６０…突き当て部材、６４…白基準テープ、６６…白基準板、７０…スキャナ装置、７１…装置フレーム、７２Ａ…第１プラテンガラス、７２Ｂ…第２プラテンガラス、７３…フルレートキャリッジ、７４…照明ランプ、７５…ハーフレートキャリッジ、７８…ＣＣＤイメージセンサ、７９…駆動基板、８０…処理装置、８１…アナログ補正部、８２…Ａ/Ｄ変換部、８３…シェーディング補正部、８４…シェーディングメモリ、８５…画像処理部、８６…背景画像処理部、８７…基準値格納メモリ、８８…ＣＣＤ駆動部、Ａ…白基準読み取り位置、Ｂ…固定読み取り開始位置、Ｃ…固定読み取り終了位置、Ｄ…流し読み取り位置
【図１】
2006013852.tif 000003
【図２】
2006013852.tif 000004
【図３】
2006013852.tif 000005
【図４】
2006013852.tif 000006
【図５】
2006013852.tif 000007
【図６】
2006013852.tif 000008
【図７】
2006013852.tif 000009
【図８】
2006013852.tif 000010